(57)【要約】【課題】地上デジタル放送の視聴に際して、個々のユーザに応じたコンテンツを提供すること。【解決方法】音声ガイダンス情報１９５は、ユーザが「ＮＡＶＩ」モードを使用した際に再生される音声ガイダンスに係るデータを記憶する。音声ガイダンスは、音声ガイダンスレベル毎にユーザに対する親しみ具合の異なるものが複数用意される。使用情報１９７は、ユーザによる「ＮＡＶＩ」モードの使用状況に係るデータを記憶する。そして、制御部２０は、「ＮＡＶＩ」モードの使用状況に応じて使用情報１９７の音声ガイダンスレベル１９７ｅを変更する。また、制御部２０は、「ＮＡＶＩ」モード中に操作部１１から操作信号が入力された場合に、音声ガイダンスレベル１９７ｅに応じた音声ガイダンス情報１９５を参照して、入力された操作信号に応じた音声ガイダンスを読み出して再生する。【選択図】図３
2009027494.tif 000002
【特許請求の範囲】
【請求項１】
ユーザ操作に従って地上デジタル放送を受信し、所望の放送番組を出力するテレビ受像機であって、
テレビ受像機の使用状況に応じた複数の使用レベル毎に、ユーザに対する親しみ具合の異なる複数の音声コンテンツデータが、それぞれテレビ受像機の操作内容と対応付けられて記憶された音声コンテンツ記憶手段と、
ユーザによる当該テレビ受像機の使用情報を更新記憶する使用情報記憶手段と、
前記使用情報記憶手段によって更新記憶される使用情報に基づいて、当該テレビ受像機のユーザの使用レベルを判定するレベル判定手段と、
ユーザ操作が入力された場合に、前記レベル判定手段によって判定された使用レベルに対応する親しみ具合の音声コンテンツデータであって、前記入力されたユーザ操作の操作内容と対応付けられた音声コンテンツデータを前記音声コンテンツ記憶手段から読み出して再生する制御を行うコンテンツ再生手段と、
を備えることを特徴とするテレビ受像機。
【請求項２】
前記使用情報記憶手段は、使用情報として、当該テレビ受像機の使用時間、未使用時間、及び当該テレビ受像機に対するユーザ操作の入力回数のうち、少なくとも何れか一つを更新記憶することを特徴とする請求項１に記載のテレビ受像機。
【請求項３】
前記使用レベルは、ユーザを突き放すような印象を与える内容の音声コンテンツが再生される使用レベルと、ユーザにやや親しい印象を与える内容の音声コンテンツが再生される使用レベルと、ユーザに甘える印象を与える内容の音声コンテンツが再生される使用レベルとを含むことを特徴とする請求項１又は２に記載のテレビ受像機。
【請求項４】
通常のテレビ視聴モードと、音声コンテンツ出力モードとを切り替えて設定するモード設定手段を備え、
前記使用情報記憶手段は、前記音声コンテンツ出力モードにおける使用情報を更新記憶し、
前記コンテンツ再生手段は、前記モード設定手段によって前記音声コンテンツ出力モードが設定されている場合に、前記入力されたユーザ操作に応じて前記音声コンテンツデータを再生する制御を行うことを特徴とする請求項１〜３の何れか一項に記載のテレビ受像機。
【請求項５】
複数の音声に対応する複数の音声コンテンツデータの中からユーザが１つの音声コンテンツデータを選択できるように構成されていることを特徴とする請求項１〜４の何れか一項に記載のテレビ受像機。
【請求項６】
請求項１〜５の何れか一つに記載のテレビ受像機と、データ放送を行うデータ放送システムとがネットワークを介して接続されたデジタルテレビ放送システムであって、
前記データ放送システムは、
使用状況に応じた複数の使用レベル毎に複数の付加コンテンツを記憶する付加コンテンツ記憶手段と、
前記受信した使用情報に対応する付加コンテンツを、当該使用情報を送信したテレビ受像機に配信する手段と、
を備え、
前記テレビ受像機は、
前記データ放送システムから配信された付加コンテンツを再生する付加コンテンツ再生手段を備えることを特徴とするデジタルテレビ放送システム。
【請求項７】
前記データ放送システムは、複数のジャンルに属する情報を含むＢＭＬコンテンツを記憶するコンテンツ記憶手段を備え、前記コンテンツ記憶手段に記憶された複数のジャンルに属する情報を含むジャンル別ＢＭＬコンテンツをデータ放送によって配信し、
前記テレビ受像機は、
当該テレビ受像機で視聴された番組に基づくユーザの視聴傾向ジャンルを前記使用情報記憶手段にさらに記憶しており、
前記データ放送システムから配信されるデータ放送のジャンル別ＢＭＬコンテンツの中から、現在の視聴傾向ジャンルに属する情報を抽出する抽出手段と、
前記抽出手段によって抽出された現在の視聴傾向ジャンルに属する情報を再生する嗜好傾向情報再生手段と、
を備えることを特徴とする請求項６に記載のデジタルテレビ放送システム。
【請求項８】
前記データ放送システムは、前記ネットワークを介して天気情報配信サーバと接続可能に構成されており、
前記テレビ受像機から現在位置の位置情報を受信する位置情報受信手段と、
前記受信した位置情報を前記天気情報配信サーバに通知して、前記位置情報に応じた天気情報を取得する天気情報取得手段と、
前記天気情報取得手段によって取得された天気情報を、前記位置情報を送信したテレビ受像機に配信する天気情報配信手段と、
を備え、
前記テレビ受像機は、
現在位置の位置情報を取得する位置情報取得手段と、
前記位置情報取得手段によって取得された位置情報を前記データ放送システムに送信する位置情報送信手段と、
前記データ放送システムから配信される天気情報をデータ放送画面上に表示する天気情報表示手段と、
を備えることを特徴とする請求項６または７に記載のデジタルテレビ放送システム。 
【発明の詳細な説明】
【技術分野】
【０００１】
本発明は、地上デジタル放送に対応したテレビ受像機およびデジタルテレビ放送システムに関する。
【背景技術】
【０００２】
近年、電波の有効利用やテレビ放送の高画質化・高機能化を推進することを目的とした地上デジタル放送が開始され、この地上デジタル放送に対応したテレビ受像機が普及している（例えば、特許文献１参照）。また、地上デジタル放送の周波数帯の一部を利用した携帯端末向けのいわゆるワンセグ放送も開始され、地上デジタル放送は、携帯電話機やＰＤＡ、ノートパソコン、専用の携帯型テレビ受像機等の携帯端末で受信し、視聴することができる。この地上デジタル放送では、テレビ放送に加えて、データ放送と呼ばれるコンテンツの放送が行われている。データ放送の特徴の１つとして双方向機能が挙げられる。この双方向機能を利用すれば、例えば視聴者が放送番組の視聴中に選択した視聴者情報をインターネット等の通信網を介して外部のサーバ装置に送信するといったことが可能となる。
【特許文献１】特開２００６−２７０３６９号公報
【発明の開示】
【発明が解決しようとする課題】
【０００３】
しかしながら、テレビ受像機の利用においては、視聴者は、見たい放送番組を選局して視聴する又はデータ放送のコンテンツに応答するという、あくまで受身のスタイルをとることが一般的であり、ユーザの個性に対応したものとはなっていない。一方、データ放送サービスの提供事業者にとっても、ユーザが受身のスタイルである限り個々のユーザのコンテンツに対する要求の十分な把握は難しい。
【０００４】
また、携帯型のテレビ受像機には、携帯電話網等の通信網を介して外部と接続する無線通信機能を備えたものや、例えばＨＤＤ（Hard Disk Drive）等の大容量の記憶機能を備えたものも存在するが、テレビ視聴時にこれらの無線通信機能や記憶機能が有効に利用されていなかった。
【０００５】
本発明は、上記した従来の課題に鑑みてなされたものであり、地上デジタル放送の視聴に際して、個々のユーザに応じたコンテンツを提供することを目的とする。
【課題を解決するための手段】
【０００６】
請求項１記載の発明は、
ユーザ操作に従って地上デジタル放送を受信し、所望の放送番組を出力するテレビ受像機であって、
テレビ受像機の使用状況に応じた複数の使用レベル毎に、ユーザに対する親しみ具合の異なる複数の音声コンテンツデータが、それぞれテレビ受像機の操作内容と対応付けられて記憶された音声コンテンツ記憶手段と、
ユーザによる当該テレビ受像機の使用情報を更新記憶する使用情報記憶手段と、
前記使用情報記憶手段によって更新記憶される使用情報に基づいて、当該テレビ受像機のユーザの使用レベルを判定するレベル判定手段と、
ユーザ操作が入力された場合に、前記レベル判定手段によって判定された使用レベルに対応する親しみ具合の音声コンテンツデータであって、前記入力されたユーザ操作の操作内容と対応付けられた音声コンテンツデータを前記音声コンテンツ記憶手段から読み出して再生する制御を行うコンテンツ再生手段と、
を備えることを特徴とするテレビ受像機である。
【０００７】
請求項２記載の発明は、
前記使用情報記憶手段は、使用情報として、当該テレビ受像機の使用時間、未使用時間、及び当該テレビ受像機に対するユーザ操作の入力回数のうち、少なくとも何れか一つを更新記憶することを特徴とする請求項１に記載のテレビ受像機である。
【０００８】
請求項３記載の発明は、
前記使用レベルは、ユーザを突き放すような印象を与える内容の音声コンテンツが再生される使用レベルと、ユーザにやや親しい印象を与える内容の音声コンテンツが再生される使用レベルと、ユーザに甘える印象を与える内容の音声コンテンツが再生される使用レベルとを含むことを特徴とする請求項１又は２に記載のテレビ受像機である。
【０００９】
請求項４記載の発明は、
通常のテレビ視聴モードと、音声コンテンツ出力モードとを切り替えて設定するモード設定手段を備え、
前記使用情報記憶手段は、前記音声コンテンツ出力モードにおける使用情報を更新記憶し、
前記コンテンツ再生手段は、前記モード設定手段によって前記音声コンテンツ出力モードが設定されている場合に、前記入力されたユーザ操作に応じて前記音声コンテンツデータを再生する制御を行うことを特徴とする請求項１〜３の何れか一項に記載のテレビ受像機である。
【００１０】
請求項５記載の発明は、
複数の音声に対応する複数の音声コンテンツデータの中からユーザが１つの音声コンテンツデータを選択できるように構成されていることを特徴とする請求項１〜４の何れか一項に記載のテレビ受像機である。
【００１１】
請求項６記載の発明は、
請求項１〜５の何れか一つに記載のテレビ受像機と、データ放送を行うデータ放送システムとがネットワークを介して接続されたデジタルテレビ放送システムであって、
前記データ放送システムは、
使用状況に応じた複数の使用レベル毎に複数の付加コンテンツを記憶する付加コンテンツ記憶手段と、
前記受信した使用情報に対応する付加コンテンツを、当該使用情報を送信したテレビ受像機に配信する手段と、
を備え、
前記テレビ受像機は、
前記データ放送システムから配信された付加コンテンツを再生する付加コンテンツ再生手段を備えることを特徴とするデジタルテレビ放送システムである。
【００１２】
請求項７記載の発明は、
前記データ放送システムは、複数のジャンルに属する情報を含むＢＭＬコンテンツを記憶するコンテンツ記憶手段を備え、前記コンテンツ記憶手段に記憶された複数のジャンルに属する情報を含むジャンル別ＢＭＬコンテンツをデータ放送によって配信し、
前記テレビ受像機は、
当該テレビ受像機で視聴された番組に基づくユーザの視聴傾向ジャンルを前記使用情報記憶手段にさらに記憶しており、
前記データ放送システムから配信されるデータ放送のジャンル別ＢＭＬコンテンツの中から、現在の視聴傾向ジャンルに属する情報を抽出する抽出手段と、
前記抽出手段によって抽出された現在の視聴傾向ジャンルに属する情報を再生する嗜好傾向情報再生手段と、
を備えることを特徴とする請求項６に記載のデジタルテレビ放送システムである。
【００１３】
請求項８記載の発明は、
前記データ放送システムは、前記ネットワークを介して天気情報配信サーバと接続可能に構成されており、
前記テレビ受像機から現在位置の位置情報を受信する位置情報受信手段と、
前記受信した位置情報を前記天気情報配信サーバに通知して、前記位置情報に応じた天気情報を取得する天気情報取得手段と、
前記天気情報取得手段によって取得された天気情報を、前記位置情報を送信したテレビ受像機に配信する天気情報配信手段と、
を備え、
前記テレビ受像機は、
現在位置の位置情報を取得する位置情報取得手段と、
前記位置情報取得手段によって取得された位置情報を前記データ放送システムに送信する位置情報送信手段と、
前記データ放送システムから配信される天気情報をデータ放送画面上に表示する天気情報表示手段と、
を備えることを特徴とする請求項６または７に記載のデジタルテレビ放送システムである。
【発明の効果】
【００１４】
本発明によれば、テレビ受像機の使用状況に応じた使用レベル毎に、ユーザに対する親しみ具合の異なる複数の音声コンテンツを用意しておくことができる。そして、ユーザの使用レベルに応じた親しみ具合の音声コンテンツを再生することができる。これによれば、テレビを単に視聴して楽しむのみならず、テレビと友達になっていくような感覚をユーザに与えることができる。また、テレビ受像機の使用情報をデータ放送システムに送信することにより、当該テレビ受像機に、その使用情報に応じたコンテンツを提供することができる。このため、受身な姿勢で視聴するだけのテレビではなく、ユーザの行為が反映されるコミュニーケーション型のテレビの視聴が可能となる。
【発明を実施するための最良の形態】
【００１５】
以下、図面を参照し、本発明の好適な実施の形態について詳細に説明する。ただし、発明の範囲は図示例に限定されない。
【００１６】
［第１実施形態］
先ず、第１実施形態について説明する。
【００１７】
（概観）
図１は、第１実施形態に係るテレビ受像機１の外観例を示す図である。図１に示すテレビ受像機１は、横方向に長い薄型の直方体に形成された装置本体部２を有している。装置本体部２は、例えば、縦６１ｍｍ、横９９ｍｍ、厚さ２４ｍｍの筐体に形成されており、携帯して利用可能となっている。装置本体部２の前面には、液晶表示パネル３と複数のタッチ式のスイッチＳＷ１〜ＳＷ６とが配設されている。液晶表示パネル３は、例えば、画面サイズが３．０インチのＴＦＴ（Thin Film Transistor）方式の液晶表示パネルである。また、装置本体部２の側面には、モード切替スイッチ５と、スピーカ６とが配設されている。なお、図示しないが、装置本体部２の側面には、ＳＤカードを挿入するためのスロットや、イヤホン端子の挿入口等が配設されている。このテレビ受像機１は、地上デジタル放送に関するテレビ放送信号を受信し、受信したテレビ放送信号に基づくテレビ放送画面（映像情報）を液晶表示パネル３に表示出力するとともに、音声情報をスピーカ６から音声出力する。また、テレビ受像機１は、ＢＭＬ（Broadcast Markup Language）と呼ばれる放送用マークアップ言語で記述されたコンテンツ（以下、ＢＭＬコンテンツ）を再生するためのＢＭＬブラウザを内蔵しており、データ放送のＢＭＬコンテンツを受信して再生する。
【００１８】
オンオフスイッチＳＷ１は、液晶表示パネル３及びスピーカ６のオンオフを切り替えてテレビ視聴のオンオフの切替を行う。チャンネルスイッチＳＷ２は、テレビ受像機１にて視聴するチャンネルの切替を行う。音量スイッチＳＷ３は、音量の切替を行う。明度スイッチＳＷ４は、液晶表示パネル３の明暗の切替を行う。アップスイッチＳＷ５及びダウンスイッチＳＷ６は、チャンネルの選択、音量の増減、明暗の調整を行う。アップスイッチＳＷ５及びダウンスイッチＳＷ６は、直前に押下されたスイッチの種類に応じて機能する。すなわち、チャンネルスイッチＳＷ２に続けてアップスイッチＳＷ５又はダウンスイッチＳＷ６が押下された場合には、チャンネルを選択するチャンネルアップスイッチ又はチャンネルダウンスイッチとして機能する。同様にして、音量スイッチＳＷ３に続けてアップスイッチＳＷ５又はダウンスイッチＳＷ６が押下された場合には、音量を増加又は減少させる音量アップスイッチ又は音量ダウンスイッチとして機能し、明度スイッチＳＷ４に続けてアップスイッチＳＷ５又はダウンスイッチＳＷ６が押下された場合には、画面を明るく又は暗くさせて明暗を調整する明度アップスイッチ又は明度ダウンスイッチとして機能する。
【００１９】
モード切替スイッチ５は、テレビ受像機１のモードを切り替えるためのスイッチであり、例えば、スライド式の切替スイッチで実現される。ここで、モードとは、例えば、テレビ受像機１の電源を遮断した「オフ」モード、テレビ受像機１の電源を投入して通常のテレビ視聴を行うテレビ視聴モードである「オン」モード、各種スイッチによる操作を受け付けない「ホールド」モード、及びテレビ視聴時に音声コンテンツとして音声ガイダンスを再生する音声コンテンツ出力モードである「ＮＡＶＩ」モードの４種類のモードであり、ユーザは４つのモードのうちの１つを選択・切替可能となっている。
【００２０】
「ＮＡＶＩ」モードについて説明すると、「ＮＡＶＩ」モードとは、テレビ視聴時にユーザがスイッチＳＷ１〜ＳＷ６によりテレビ視聴のオンオフ、チャンネルの選択、音量の増減、及び明暗の調整を行った場合に、為された操作内容に応じた音声ガイダンスを再生するモードである。
この音声ガイダンスは、予め設定される所定の音声で再生される。所定の音声としては、例えば、特定の声優やアイドル、テレビアナウンサー等の声を用いることができる。
かかる音声ガイダンスは、使用レベルに相当する音声ガイダンスレベル毎にユーザに対する親しみ具合の異なるものが複数用意され、音声ガイダンスレベルは、ユーザによる「ＮＡＶＩ」モードの累積使用時間や未使用時間、操作回数、操作頻度といった使用状況に応じて段階的に変化するようになっている。例えば、以下では、音声ガイダンスレベルが三段階で変化することとして説明するが、段階数はこれに限定されるものではない。
【００２１】
図２は、三段階の音声ガイダンスレベルについて説明するための説明図であり、例として、オンオフスイッチＳＷ１が押下操作された場合に、その音声ガイダンスレベルに応じて再生される音声ガイダンスの内容を示している。具体的には、図２（ａ）は第１段階の音声ガイダンスレベル（以下、「レベル１」という。）の場合に再生される音声ガイダンスを、図２（ｂ）は第２段階の音声ガイダンスレベル（以下、「レベル２」という。）の場合に再生される音声ガイダンスを、図２（ｃ）は第３段階の音声ガイダンスレベル（以下、「レベル３」という。）の場合に再生される音声ガイダンスをそれぞれ示している。
【００２２】
レベル１は、ユーザによる「ＮＡＶＩ」モードの累積使用時間が例えば７時間に満たない場合の音声ガイダンスレベルであり、図４（ａ）に示すように、ユーザを突き放すような印象を与える音声ガイダンスが再生される。このレベル１の音声ガイダンスは、ユーザに対して慣れておらず、気が強いため、恥ずかしがっていることや照れを隠そうとして、好意を寄せている相手（ユーザ）を突き放すような態度をとっていることを意図する内容となっている。
【００２３】
レベル２は、累積使用時間が７時間以上であって例えば５０時間未満の場合の音声ガイダンスレベルであり、図４（ｂ）に示すように、ユーザにやや親しい印象を与えるガイダンスが再生される。このレベル２の音声ガイダンスは、ユーザに対して多少慣れてきており、ユーザに対する態度を多少軟化させてきていることを意図する内容となっている。
【００２４】
レベル３は、累積使用時間が５０時間以上の場合の音声ガイダンスレベルであり、図４（ｃ）に示すように、ユーザに甘える印象を与える音声ガイダンスが再生される。このレベル３の音声ガイダンスは、ユーザに対して十分に好意を持っており、一貫して甘えた態度をとっていることを意図する内容となっている。
【００２５】
このように、音声ガイダンスレベルは、ユーザによる「ＮＡＶＩ」モードの累積使用時間に応じて変化する一方、未使用時間に応じても変化する。すなわち、音声ガイダンスレベルがレベル３の場合に、例えば３日間以上「ＮＡＶＩ」モードの未使用状態が続くとレベル２に変更となる。また、音声ガイダンスレベルがレベル２の場合には、例えば１０日間以上「ＮＡＶＩ」モードの未使用状態が続くとレベル１に変更になる。
【００２６】
（機能構成）
図３は、テレビ受像機１の主要機能構成の一例を示すブロック図である。図３に示すように、テレビ受像機１は、操作部１１、モード切替部１２、チューナ１３、復調部１４、デコーダ１５、画像表示部１６、音声出力部１７、無線通信部１８、記憶部１９、制御部２０、ＧＰＳ２１、現在時刻情報を計時して制御部２０に通知する時計部２２等を備える。
【００２７】
操作部１１は、ユーザがテレビ視聴のオンオフ、チャンネルの選択、音量の増減、明暗の調整等の各種操作を入力するためのものであり、操作入力に応じた操作信号を制御部２０に出力する。この操作部１１は、例えばボタンスイッチ、レバー、ダイヤル、マウス、キーボード、各種センサ等によって実現される。本実施の形態では、この操作部１１は、図１のオンオフスイッチＳＷ１、チャンネルスイッチＳＷ２、音量スイッチＳＷ３、明度スイッチＳＷ４、アップスイッチＳＷ５及びダウンスイッチＳＷ６で構成される。
【００２８】
モード切替部１２は、ユーザが「オフ」「オン」「ホールド」「ＮＡＶＩ」の４つの各モードの切替操作を入力するためのものであり、切替操作入力に応じたモード決定信号を制御部２０に出力する。図１のモード切替スイッチ５は、このモード切替部１２に該当する。このモード切替部１２によって「オフ」モードに切り替えられると、制御部２０の制御によってテレビ受像機１本体の電源がオフされる。「オン」モードに切り替えられた場合には、制御部２０の制御によってテレビ受像機１本体の電源がオンされる。「ホールド」モードに切り替えられた場合には、制御部２０の制御によって操作部１１の操作入力が無効になる。例えば、操作部１１からの操作信号の出力を遮断させてもよいし、制御部２０によって操作部１１からの操作信号を無効とする制御を行うこととしてもよい。「ＮＡＶＩ」モードに切り替えられた場合には、制御部２０の制御によって、操作部１１からの操作信号に応じた音声ガイダンスが再生される。
【００２９】
チューナ１３は、テレビ放送信号受信用のアンテナ１３ａにより受信された地上デジタル放送のテレビ放送信号の中から、ユーザが指定した放送番組のチャンネルに対応する周波数帯域のテレビ放送信号を受信し、受信したテレビ放送信号を変調して中間周波信号を復調部１４に出力する。
【００３０】
復調部１４は、チューナ１３から入力された中間周波信号に対してデジタル復調や誤り訂正等の処理を施すとともに、スクランブル解除情報を用いてストリーム（例えば、トランスポートストリーム）に付加されたスクランブル信号を解除して、当該スクランブル信号が解除されたトランスポートストリームをデコーダ１５に出力する。
【００３１】
デコーダ１５は、復調部１４から入力されたトランスポートストリームを解読し、テレビ放送の映像・音声ストリームとデータ放送のデータストリームとに分離してこれらを個別に再生する。テレビ放送の映像・音声ストリームについては、これを構成する各トランスポートパケットを判別して、ユーザが指定した放送番組に関連するトランスポートパケットにかかるデータをデジタル音声情報やデジタル映像情報等に分離する。そして、デコーダ１５は、デジタル映像情報をデコードして画像表示部１６に出力するとともに、デジタル音声情報をデコードして音声出力部１７に出力する。
【００３２】
画像表示部１６は、デコーダ１５から入力された映像情報に基づく映像の表示、或いは図示しないＯＳＤ回路によりＯＳＤ（オンスクリーンディスプレイ）表示信号が合成された映像情報に基づく映像の表示を行う。この画像表示部１６は、例えばＬＣＤやＥＬＤ等の各種表示装置で実現される。図１の液晶表示パネル３は、この画像表示部１６に該当する。
【００３３】
音声出力部１７は、デコーダ１５から入力された音声情報に基づく音声の出力を行う。図１のスピーカ６は、この音声出力部１７に該当する。
【００３４】
無線通信部１８は、所定の無線通信回線を介して外部のサーバ装置との間でデータの送受信を行うための装置であり、例えば、携帯電話の通信サービス事業者が設置した無線基地局との間で無線信号の送受信を行うアンテナ１８ａや、ＲＦ変換器、無線ＬＡＮに接続するための無線ＬＡＮカード等によって実現される。この無線通信部１８は、外部のサーバ装置との間で無線信号の送受信を、例えばパケット通信により行う。
【００３５】
記憶部１９は、更新記憶可能なフラッシュメモリ等のＲＯＭやＲＡＭといった各種ＩＣメモリやハードディスク又は外部記憶媒体等によって実現されるものであり、テレビ受像機１で実行可能なシステムプログラム、このシステムプログラムで実行可能な各種処理プログラム、これら各種処理プログラムを実行する際に使用されるデータ、演算処理された処理結果のデータ等が格納される。この記憶部１９には、ガイダンスレベル更新処理を行うためのガイダンスレベル更新プログラム１９１と、レベル別音声ガイダンス処理を行うためのレベル別音声ガイダンスプログラム１９３と、音声ガイダンス情報１９５と、使用情報１９７と、視聴番組情報１９８と、現在位置情報１９９とが格納される。
【００３６】
音声ガイダンス情報１９５は、ユーザが「ＮＡＶＩ」モードを使用した際に再生される音声ガイダンスに係るデータを記憶する。図４は、音声ガイダンス情報１９５のデータ構成例を示す図であり、音声ガイダンス情報１９５は、図４（ａ）に示すレベル１用音声ガイダンステーブル１９５ａと、図４（ｂ）に示すレベル２用音声ガイダンステーブル１９５ｂと、図４（ｃ）に示すレベル３用階音声ガイダンステーブル１９５ｃとを含む。各音声ガイダンスレベル用の音声ガイダンステーブル１９５ａ〜１９５ｃには、それぞれ操作部１１の操作内容と対応付けて、この操作指示に応じて再生される音声ガイダンスが設定されている。なお、予め複数の音声に対応する音声コンテンツデータを記憶させておき、ユーザが好みに応じて選択できるようにすることもできる。
【００３７】
操作内容は、オンオフスイッチＳＷ１、チャンネルスイッチＳＷ２、音量スイッチＳＷ３、及び明度スイッチＳＷ４の押下操作を１次操作とし、アップスイッチＳＷ５及びダウンスイッチＳＷ６の押下操作を２次操作としたこれらの組合せによって定義される。
音声ガイダンスは、例えばＷＡＶファイル等の音声データである。なお、この音声ガイダンスにガイダンス番号のみを設定しておき、実際の音声データ自体は、別途音声データ群として記憶部１９に格納しておくこととしても構わない。
【００３８】
レベル別音声ガイダンスプログラム１９３や音声ガイダンス情報１９５は、外部のサーバ装置よりＳＤカードにダウンロードして、該ＳＤカードを装置本体部２に装着して取得することもできる。このようにすることで、より多段階のレベルで、より多彩な音声ガイダンスをユーザの嗜好に応じて再生することが可能となる。
【００３９】
使用情報１９７は、ユーザによる「ＮＡＶＩ」モードの使用状況に係るデータを記憶する。図５は、使用情報１９７のデータ構成例を示す図である。図５に示すように、使用情報１９７は、今回使用開始時刻１９７ａ、前回使用終了時刻１９７ｂ、累積使用時間１９７ｃ、レベル別継続使用時間１９７ｄ、音声ガイダンスレベル１９７ｅ、操作情報１９７ｆ、チャンネル別視聴時間１９７ｋ、視聴傾向ジャンル１９７ｌ等を含む。
【００４０】
今回使用開始時刻１９７ａは、今回「ＮＡＶＩ」モードの使用を開始した際の時刻情報を記憶する。前回使用終了時刻１９７ｂは、前回「ＮＡＶＩ」モードの使用を終了した際の時刻情報を記憶する。
【００４１】
累積使用時間１９７ｃは、「ＮＡＶＩ」モードが最初に使用されてからの累積使用時間を記憶する。レベル別継続使用時間１９７ｄは、音声ガイダンスレベルの変更の判定に用いるデータであって、前回音声ガイダンスレベルが変更されてからの累積使用時間を記憶する。
【００４２】
音声ガイダンスレベル１９７ｅは、現在の音声ガイダンスレベルを記憶する。この音声ガイダンスレベル１９７ｅは、「ＮＡＶＩ」モードの使用状況に応じて音声ガイダンスレベル１９７ｅが変更された場合に、初期値“０”にリセットされる。
【００４３】
操作情報１９７ｆは、オンオフ切替回数１９７ｇ、チャンネル切替回数１９７ｈ、音量切替回数１９７ｉ、および明度切替回数１９７ｊの各操作回数を含む。オンオフ切替回数１９７ｇは、「ＮＡＶＩ」モード中のテレビ視聴のオンオフ操作の回数であり、「ＮＡＶＩ」モード中にオンオフスイッチＳＷ１が押下された回数を記憶する。チャンネル切替回数１９７ｈは、「ＮＡＶＩ」モード中のチャンネルの選択操作回数であり、「ＮＡＶＩ」モード中にチャンネルスイッチＳＷ２、及びチャンネルスイッチＳＷ２に続けてアップスイッチＳＷ５又はダウンスイッチＳＷ６が押下された回数を記憶する。音量切替回数１９７ｉは、「ＮＡＶＩ」モード中の音量の増減操作回数であり、「ＮＡＶＩ」モード中に音量スイッチＳＷ３、及び音量スイッチＳＷ３に続けてアップスイッチＳＷ５又はダウンスイッチＳＷ６が押下された回数を記憶する。明度切替回数１９７ｊは、「ＮＡＶＩ」モード中の明暗の調整操作回数であり、「ＮＡＶＩ」モード中に明度スイッチＳＷ４、及び明度スイッチＳＷ４に続けてアップスイッチＳＷ５又はダウンスイッチＳＷ６が押下された回数を記憶する。
【００４４】
チャンネル別視聴時間１９７ｋは、「ＮＡＶＩ」モード中のチャンネル毎の視聴時間を記憶する。
【００４５】
視聴傾向ジャンル１９７ｌは、「ＮＡＶＩ」モード中においてユーザが視聴傾向にある視聴番組のジャンルを記憶する。制御部２０は、後述する視聴番組情報１９８を例えばデータ放送によって取得した放送番組表と照合し、ジャンルごとの視聴時間を集計する。そして、制御部２０は、視聴時間が最も長いジャンルを視聴傾向ジャンルとする。
【００４６】
視聴番組情報１９８は、テレビ受像機１で視聴された番組に係るデータを記憶する。図６は、視聴番組情報１９８のデータ構成例を示す図である。図６に示すように、視聴番組情報１９８は、視聴されたチャンネルと対応付けて、その視聴時刻と、視聴時間とが設定され、チャンネルスイッチＳＷ２によってチャンネルが切り替えられる度に、新たなレコードが生成されて追加される。なお、この視聴番組情報１９８において、さらに、視聴時にＧＰＳ２１から入力されたテレビ受像機１の位置情報を対応付けて記憶することとしてもよい。
【００４７】
現在位置情報１９９は、ＧＰＳ２１から随時入力されるテレビ受像機１の位置情報を更新記憶する。
【００４８】
制御部２０は、ＣＰＵ等のハードウェアによって実現される。この制御部２０は、操作部１１から入力される操作信号、記憶部１９に格納されるプログラムやデータ等に基づいてテレビ受像機１を構成する各部への指示やデータの転送等を行い、テレビ受像機１全体の動作を統括的に制御する。例えば、制御部２０は、操作部１１から操作信号が入力された場合には、記憶部１９から所定のプログラムを読み出し、読み出したプログラムに従って操作信号に応じたテレビ受像機１の制御を行う。例えば、制御部２０は、チューナ１３を制御して放送チャンネルを切り替えたり、音声出力部１７を制御して所望の音声に切り替えたり、音量をアップダウンさせる処理を実行する。また、制御部２０は、ガイダンスレベル更新プログラム１９１に従ってガイダンスレベル更新処理を実行し、「ＮＡＶＩ」モードの使用状況に応じて音声ガイダンスレベル１９７ｅを変更する。また、制御部２０は、レベル別音声ガイダンスプログラム１９３に従ってレベル別音声ガイダンス処理を実行し、「ＮＡＶＩ」モード中に操作部１１から操作信号が入力された場合に、音声ガイダンスレベル１９７ｅに応じた音声ガイダンス情報１９５を参照して、入力された操作信号に応じた音声ガイダンスを読み出して、予め設定された、例えば特定の声優等の音声で再生する。
また、外部から、ユーザの所望の音声により発声させるための音声コンテンツデータが記憶されたＳＤカード等の記憶媒体が挿入されたり、或いは、外部のサーバ装置にアクセスすることで所定の音声に対応する音声コンテンツデータがダウンロードされた場合に、制御部２０は音声ガイダンスをユーザの所望の音声で再生する。この場合、記憶媒体を挿入すると自動的に音声が変換されるようにしても良いし、スイッチの中の１つを音声選択用のスイッチとして機能させてスイッチ操作によりユーザが選択できるようにしても良い。
【００４９】
ＧＰＳ（Global Positioning Systems）２１は、ＧＰＳ衛星からの電波を受信するＧＰＳアンテナ２１ａを備える。このＧＰＳ２１は、制御部２０の制御のもと、所定の時間間隔でテレビ受像機１の位置検出処理を実行し、ＧＰＳアンテナ２１ａで受信した電波からテレビ受像機１の位置情報を抽出して制御部２０に出力する。
【００５０】
（処理の流れ）
先ず、ガイダンスレベル更新処理の流れについて説明する。図７は、ガイダンスレベル更新処理に係る制御部２０の処理手順を示すフローチャートである。なお、ここで説明する処理は、制御部２０がガイダンスレベル更新プログラム１９１を読み出して実行することにより実現される。
【００５１】
このガイダンスレベル更新処理では、制御部２０は、モード切替部１２から「ＮＡＶＩ」モードに切り替えるモード決定信号が入力された場合に（ステップＳ１０１：Ｙｅｓ）、時計部２２によって計時される現在時刻を使用情報１９７の今回使用開始時刻１９７ａに設定して更新する（ステップＳ１０３）。続いて、制御部２０は、現在時刻と前回使用終了時刻１９７ｂとから「ＮＡＶＩ」モードの未使用時間を算出し（ステップＳ１０５）、算出した未使用時間と音声ガイダンスレベル１９７ｅとに基づいてレベル下降判定を行う（ステップＳ１０７）。すなわち、制御部２０は、未使用時間が３日間以上であって、音声ガイダンスレベル１９７ｅが「レベル３」の場合には、「レベル２」に変更する（ステップＳ１０９）。またこのとき、レベル別継続使用時間１９７ｄを「０」にリセットする。また、制御部２０は、未使用時間が１０日間以上であって、音声ガイダンスレベル１９７ｅが「レベル２」の場合には、「レベル１」に変更する（ステップＳ１１１）。またこのとき、レベル別継続使用時間１９７ｄを「０」にリセットする。
【００５２】
そして、制御部２０は、累積使用時間１９７ｃ及びレベル別継続使用時間１９７ｄのカウントアップを開始し（ステップＳ１１３）、「ＮＡＶＩ」モードの間、レベル別継続使用時間１９７ｄを監視してレベル上昇判定を行う（ステップＳ１１５）。すなわち、制御部２０は、音声ガイダンスレベル１９７ｅが「レベル１」の場合に、レベル別継続使用時間１９７ｄが７時間以上となったならば、「レベル２」に変更する（ステップＳ１１７）。また、制御部２０は、音声ガイダンスレベル１９７ｅが「レベル２」の場合に、レベル別継続使用時間１９７ｄが５０時間以上となったならば、音声ガイダンスレベル１９７ｅを「レベル３」に変更する（ステップＳ１１９）。
【００５３】
そして、制御部２０は、モード切替部１２から「ＮＡＶＩ」モード以外のモードに切り替えるモード決定信号が入力された場合には「ＮＡＶＩ」モードを終了すると判定し（ステップＳ１２１：Ｙｅｓ）、前回使用終了時刻１９７ｂに現在時刻を設定して更新する（ステップＳ１２３）。そして、制御部２０は、累積使用時間１９７ｃ及びレベル別継続使用時間１９７ｄのカウントアップを停止し（ステップＳ１２５）、本処理を終了する。
【００５４】
次に、レベル別音声ガイダンス処理の流れについて説明する。図８は、レベル別音声ガイダンス処理に係る制御部２０の処理手順を示すフローチャートである。なお、ここで説明する処理は、モード切替部１２から「ＮＡＶＩ」モードに切り替えるモード決定信号が入力された場合に開始される処理であり、制御部２０がレベル別音声ガイダンスプログラム１９３を読み出して実行することにより実現される。
【００５５】
このレベル別音声ガイダンス処理では、制御部２０は、操作部１１からの操作信号が入力された場合に（ステップＳ２０１：ＹＥＳ）、押下されたスイッチの種類に応じて処理を分岐する（ステップＳ２０３）。すなわち、オンオフスイッチＳＷ１、チャンネルスイッチＳＷ２、音量スイッチＳＷ３、又は明度スイッチＳＷ４が押下された場合には、そのスイッチの種類から１次操作の内容を判定する（ステップＳ２０５）。判定された１次操作の内容は、記憶部１９に一時的に保持される。続いて、制御部２０は、使用情報１９７の音声ガイダンスレベル１９７ｅを判定する（ステップＳ２０７）。そして、制御部２０は、音声ガイダンス情報１９５を参照し、ステップＳ２０７で判定した音声ガイダンスレベル用の音声ガイダンステーブルから、ステップＳ２０５で判定した１次操作に対応する音声ガイダンスを読み出して再生する（ステップＳ２０９）。なお、制御部２０は、ステップＳ２０９の音声ガイダンスの再生処理とは別に、入力された操作信号に応じたテレビ受像機１の制御を行う。また、制御部２０は、ステップＳ２０５で判定された１次操作の内容に従って、操作情報１９７ｆの対応する操作回数をカウントアップし、使用情報１９７を更新する（ステップＳ２１１）。
【００５６】
また、制御部２０は、アップスイッチＳＷ５又はダウンスイッチＳＷ６が押下されたと判定した場合には、そのスイッチの種類から２次操作の内容を判定するとともに（ステップＳ２１３）、記憶部１９に保持されている前回の１次操作の内容を読み出して特定する（ステップＳ２１５）。続いて、制御部２０は、使用情報１９７の音声ガイダンスレベル１９７ｅを判定する（ステップＳ２１７）。そして、制御部２０は、音声ガイダンス情報１９５を参照し、ステップＳ２１７で判定した音声ガイダンスレベル用の音声ガイダンステーブルから、ステップＳ２１３で為されたと判定した２次操作の内容およびステップＳ２１５で特定した１次操作の内容の組合せに対応する音声ガイダンスを読み出して再生する（ステップＳ２１９）。また、制御部２０は、ステップＳ２１３で特定した１次操作の内容に従って、操作情報１９７ｆの対応する操作回数をカウントアップし、使用情報１９７を更新する（ステップＳ２２１）。
【００５７】
そして、制御部２０は、モード切替部１２から「ＮＡＶＩ」モード以外のモードに切り替えるモード決定信号が入力された場合には「ＮＡＶＩ」モードを終了すると判定し（ステップＳ２２３：Ｙｅｓ）、本処理を終了する。
【００５８】
なお、本実施形態は、音声ガイダンスレベルを累積使用時間と未使用時間とに基づいて設定することとしたが、音声ガイダンスレベルを操作信号毎の操作頻度に基づいて設定することとしてもよい。例えば、使用情報１９７の操作情報１９７ｆをもとに、オンオフスイッチＳＷ１、チャンネルスイッチＳＷ２、音量スイッチＳＷ３、及び明度スイッチＳＷ４の操作回数を算出し、算出した操作頻度に基づいて、スイッチＳＷ１〜ＳＷ６毎に音声ガイダンスレベルを変更する。この場合には、操作頻度の高いスイッチを操作した際には、図４（ａ）に例示しようなユーザを突き放す音声ガイダンスが再生され、操作頻度の低いスイッチを操作した際には、図４（ｃ）に例示したようなユーザに甘えた音声ガイダンスが再生される。
【００５９】
以上の説明したように、第１実施形態によれば、ユーザによるテレビ受像機１の使用状況を使用情報１９７として更新記憶し、個々のユーザに応じた音声コンテンツとして、使用情報１９７に応じた音声ガイダンスを再生することができる。これにより、テレビ受像機１の使用状況によって変化する音声ガイダンスレベルに応じて、出力される音声ガイダンスの内容が、ユーザを突き放すようであったりユーザに甘えるようであったりと変化する。したがって、ただ単にテレビを視聴するだけでなく、テレビと除々に友達になっていくような感覚をユーザに与えることが可能である。このため、受身な姿勢で視聴するだけのテレビではなく、ユーザの行為が反映されるコミュニーケーション型のテレビの視聴が可能となる。
【００６０】
［第２実施形態］
次に、第２実施形態について説明する。第１実施形態と同様の構成については、同一の符合を付する。なお、第２実施形態では、テレビ受像機が一の放送局との間でデータを送受する場合について説明するが、実際には、複数の放送局との間でデータの送受が可能であり、テレビ受像機は、視聴中のチャンネルに応じてデータを送受する放送局を選択する。
【００６１】
図９は、第２実施形態に係るデジタルテレビ放送システム３０のシステム構成例を示す概略図である。図９に示すように、デジタルテレビ放送システム３０は、テレビ受像機１ｂと、テレビ放送システム３３及びデータ放送システム３５を備えた放送局３１と、天気情報配信サーバ３９とを備え、テレビ受像機１ｂが、放送局３１のデータ放送システム３５及び天気情報配信サーバ３９とネットワークＮを介して接続されて構成されている。ここで、ネットワークＮは、インターネット及びインターネットに接続するための回線やＩＳＰサーバ等のことである。
【００６２】
テレビ受像機１ｂは、第１実施形態で説明したテレビ受像機１と略同様の構成を有するものであり、放送局３１のテレビ放送システム３３から送出される地上デジタル放送を受信して放送番組を出力する。また、テレビ受像機１ｂは、ユーザによる当該テレビ受像機１ｂの使用時間や操作情報、チャンネル別視聴情報、視聴傾向ジャンル等を含む使用情報を更新記憶するとともに、ＧＰＳ機能によって随時ＧＰＳ衛星からの電波を受信して位置情報を取得し、現在位置情報として更新記憶している。第２実施形態では、テレビ受像機１ｂは、無線通信機能によって携帯電話回線やＰＨＳ回線への接続およびこの接続を利用したインターネットへの接続等の処理を行い、ネットワークＮを介して使用情報及び現在位置情報を放送局３１のデータ放送システム３５に送信する。送信タイミングは、所定の時間間隔としてもよいし、例えばテレビ受像機１ｂの電源投入時や電源遮断時等の所定のタイミングとしてもよく、適宜設定できる。
【００６３】
放送局３１側に設けられるテレビ放送システム３３は、地上デジタル放送の放送波を、電波塔３７を介して送出する。この放送波は、放送番組の画像及び音声の信号である。
【００６４】
一方、データ放送システム３５は、データ放送コンテンツＤＢ３５ａを備える。このデータ放送コンテンツＤＢ３５ａは、テレビ番組表やニュース等、静止画データやテキストデータ、音声データ等を組み合わせた各種のＢＭＬコンテンツを記憶する。データ放送システム３５は、これらのＢＭＬコンテンツを放送波によってリアルタイムに送出してテレビ受像機１ｂに配信し、データ放送サービスを提供する。
【００６５】
このデータ放送コンテンツＤＢ３５ａには、例えば映画やドラマ、音楽、アニメ、スポーツといったジャンル別に分類されたジャンル別ＢＭＬコンテンツが含まれる。具体的には、映画であれば映画の公開情報等のＢＭＬコンテンツ、ドラマであれば予告情報や再放送案内等のＢＭＬコンテンツ、音楽であれば新譜情報等のＢＭＬコンテンツが、ジャンル別ＢＭＬコンテンツとして格納される。このジャンル別ＢＭＬコンテンツは、テレビ受像機１ｂ側で再生される際に、このテレビ受像機１ｂのユーザの視聴傾向ジャンルに属する情報を選択的に表示可能とするＢＭＬコンテンツである。このジャンル別ＢＭＬコンテンツを受信するテレビ受像機１ｂでは、ＢＭＬブラウザが、受信したデータ放送のＢＭＬコンテンツの中からこのテレビ受像機１ｂのユーザの視聴傾向ジャンルに属する情報を抽出し、データ放送画面上に表示する。これにより、ユーザに対して、視聴傾向にあるジャンルの情報を提供することができる。
【００６６】
また、データ放送システム３５は、付加コンテンツＤＢ３５ｂを備え、テレビ受像機１ｂからネットワークＮを介して受信した使用情報に基づいて、このテレビ受像機１ｂのユーザに個別に配信する付加コンテンツを管理している。この付加コンテンツＤＢ３５ｂは、例えば、チャンネル切替の操作頻度レベルと対応付けて、テレビ放送画面やデータ放送画面上に表示させるキャラクタのデータを付加コンテンツとして記憶する。データ放送システム３５は、テレビ受像機１ｂから受信した使用情報に含まれる操作情報からチャンネル切替回数を取得し、その操作頻度レベルを判定する。そして、操作頻度レベルに応じた付加コンテンツを付加コンテンツＤＢ３５ｂから読み出し、ネットワークＮを介して当該テレビ受像機１ｂに配信する。例えば、チャンネル切替の操作頻度が高い、いわゆるザッピング行為の多いユーザは、現在の放送番組或いはデータ放送のコンテンツに不満足な視聴者と考えられる。このように構成すれば、ザッピング行為の多いユーザに、テレビ放送やデータ放送を、画面上にキャラクタが表示されるコンテンツとして再生することができる。なお、ナレーション音声の付加コンテンツを配信してもよいし、放送画像そのものを白黒調やセピア調の色彩で表示されるようなエフェクトをかけることができる付加コンテンツを配信してもよい。また、例えば、チャンネル切替時等の待ち時間に再生する広告の付加コンテンツを配信することも可能である。
【００６７】
さらに、データ放送システム３５は、使用情報ＤＢ３５ｃを備え、テレビ受像機１ｂから受信した使用情報を、このテレビ受像機１ｂを携帯してデータ放送サービスを利用するユーザのユーザＩＤやユーザ名等と対応付けて管理している。データ放送システム３５は、この使用情報ＤＢ３５ｃを参照し、各ユーザの使用情報を集計して例えばテレビ受像機１ｂの使用傾向を分析する。具体的には、チャンネル別視聴時間を集計することにより、ユーザ毎の視聴傾向やこれら視聴傾向をまとめた視聴者全体の視聴傾向等を分析することができる。なお、テレビ受像機１ｂが、視聴された番組に係るデータを視聴時にＧＰＳ機能を用いて取得した位置情報とともにデータ放送システム３５に送信するように構成すれば、より詳細な視聴傾向を分析することができる。
【００６８】
これによれば、データ放送サービスの提供事業者は、ユーザの視聴傾向を知ることができるため、視聴傾向に応じたコンテンツの提供が可能となる。例えば、ユーザ全体として音楽番組の視聴が多いときはＣＤ情報や音楽データを特集したＢＭＬコンテンツをデータ放送で提供し、ユーザ全体としてスポーツ番組の視聴が多いときはスポーツニュースやスポーツ選手のインタビュー等を特集したＢＭＬコンテンツをデータ放送で提供するといったことが可能である。このように、使用情報をマーケティング情報として使用でき、分析結果をもとに需要の高いＢＭＬコンテンツをユーザに提供することが可能となる。
【００６９】
また、データ放送システム３５は、テレビ受像機１ｂから受信した現在位置情報をネットワークＮを介して天気情報配信サーバ３９に通知し、周辺地域の天気情報を取得する。そして、取得した天気情報を当該テレビ受像機１ｂに配信する。
【００７０】
以上説明したように、第２実施形態によれば、テレビ受像機１ｂに、当該テレビ受像機１ｂの使用情報に応じたコンテンツを提供することができる。このため、受身な姿勢で視聴するだけのテレビではなく、ユーザの行為が反映されるコミュニーケーション型のテレビの視聴が可能となる。
【００７１】
なお、第１実施形態で説明した音声ガイダンスの音声をデータ放送システム３５からダウンロードすることも可能であり、これによれば、ユーザの好みの音声のガイダンスを再生するように変更することができる。
【００７２】
また、第２実施形態では、チャンネルの切替回数に応じた付加コンテンツを配信する場合について説明したが、次のようにしてもよい。すなわち、オンオフ切替や音量切替、明度切替の操作頻度レベルと対応付けた付加コンテンツを用意しておく。そして、使用情報に含まれるオンオフ切替回数や音量切替回数、明度切替回数に基づいてユーザの操作頻度レベルを判定し、この操作頻度レベルに応じた付加コンテンツを配信することとしてもよい。
【００７３】
また、「ＮＡＶＩ」モードの使用情報を更新記憶する場合について説明したが、通常の「ＯＮ」モードの使用時間を更新記憶することとしてもよい。或いは、モードに関係なくテレビ受像機の使用情報を更新記憶することとしてもよい。
【００７４】
また、地上デジタル放送を受信する携帯型の専用のテレビ受像機について説明したが、本発明は、地上デジタル放送の受信機能を備えた例えば携帯電話機やＰＤＡ、携帯型ゲーム機等の携帯端末装置にも同様に適用することができる。
【図面の簡単な説明】
【００７５】
【図１】第１実施形態に係る音声ガイダンス付きテレビ受像機の外観例を示す図である。
【図２】三段階の音声ガイダンスレベルについて説明するための説明図である。
【図３】テレビ受像機の主要機能構成の一例を示すブロック図である。
【図４】音声ガイダンス情報のデータ構成例を示す図である。
【図５】使用情報のデータ構成例を示す図である。
【図６】視聴番組情報のデータ構成例を示す図である。
【図７】ガイダンスレベル更新処理に係る制御部の処理手順を示すフローチャートである。
【図８】レベル別音声ガイダンス処理に係る制御部の処理手順を示すフローチャートである。
【図９】第２実施形態に係るデジタルテレビ放送システムのシステム構成例を示す概略図である。
【符号の説明】
【００７６】
１，１ｂ    テレビ受像機
１１        操作部
１２        モード切替部
１３        チューナ
１３ａ      アンテナ
１４        復調部
１５        デコーダ
１６        画像表示部
１７        音声出力部
１８        無線通信部
１８ａ      アンテナ
１９        記憶部
１９１      ガイダンスレベル更新プログラム
１９３      レベル別音声ガイダンスプログラム
１９５      音声ガイダンス情報
１９７      使用情報
１９８      視聴番組情報
１９９      現在位置情報
２０        制御部
２１        ＧＰＳ
２１ａ      ＧＰＳアンテナ
２２        時計部
３０        デジタルテレビ放送システム
３１        放送局
３３        テレビ放送システム
３５        データ放送システム
３５ａ      データ放送コンテンツＤＢ
３５ｂ      付加コンテンツＤＢ
３５ｃ      使用情報ＤＢ
３７        電波塔
２９        天気情報配信サーバ
Ｎ          ネットワーク
【図１】
2009027494.tif 000003
【図２】
2009027494.tif 000004
【図３】
2009027494.tif 000005
【図４】
2009027494.tif 000006
【図５】
2009027494.tif 000007
【図６】
2009027494.tif 000008
【図７】
2009027494.tif 000009
【図８】
2009027494.tif 000010
【図９】
2009027494.tif 000011